(57)【特許請求の範囲】
【請求項１】
内部に送風手段とフィルターユニットとを有する本体ケースと、
前記本体ケースの下方にルーバーと、
を備える脱臭装置において、
前記フィルターユニットが前記ルーバーに押圧されることで前記本体ケースに勘合され、
前記本体ケースの所定位置に勘合された前記フィルターユニットが前記ルーバーに接触しない脱臭装置。
【請求項２】
前記フィルターユニットのルーバー側に突起部を設け、
前記突起部が前記ルーバーに押圧される請求項１記載の脱臭装置。
【請求項３】
前記フィルターユニットと前記ルーバーとの間に補助フィルターを設け、
前記突起部で前記補助フィルターの一部を保持する請求項２記載の脱臭装置。
【発明の詳細な説明】
【技術分野】
【０００１】
本発明は、室内の上部に設置され、室内空気を浄化する脱臭装置に関するものである。
【背景技術】
【０００２】
従来の脱臭装置は、ケーシング内に室内ファンと空気清浄ユニットを有し、化粧パネルに形成された吸込口から室内ファンの作用により吸い込まれた被処理空気を空気清浄ユニットで浄化した後、化粧パネルに形成された吹き出し口から室内に再び吹き出すものであった。（例えば下記特許文献１）。
【先行技術文献】
【特許文献】
【０００３】
【特許文献１】特開２０１３−１３８９８０号公報
【発明の概要】
【発明が解決しようとする課題】
【０００４】
空気清浄ユニット等を本体内に備える従来の脱臭装置において、集塵機能を有する空気清浄ユニットの性能を維持するためには、空気清浄ユニットのメンテナンスを定期的に行い、捕捉した塵埃を除去することが求められる。脱臭装置は室内の上部に設置されているため、メンテナンスの際には空気清浄ユニットを脱臭装置から取り外し、洗浄等のメンテナンスを行い、メンテナンスが終了すれば空気清浄ユニットを脱臭装置に再度装着する。すなわち、空気清浄ユニットを脱臭装置の本体内に装着する構造について、脱着しやすい構造と落下しにくい構造を両立しなければならないという課題を有していた。
【０００５】
そこで、本発明は上記課題を解決するものであり、空気清浄ユニットであるフィルターユニットを、容易に脱着可能であるとともに落下を抑制する方法で脱臭装置の本体ケースに固定することを目的とする。
【課題を解決するための手段】
【０００６】
そして、この目的を達成するために、本発明に係る脱臭装置は、内部に送風手段とフィルターユニットとを有する本体ケースと、前記本体ケースの下方にルーバーと、を備える脱臭装置において、前記フィルターユニットが前記ルーバーに押圧されることで前記本体ケースに勘合され、前記本体ケースの所定位置に勘合された前記フィルターユニットが前記ルーバーに接触しない脱臭装置としたものであり、これにより所期の目的を達成するものである。
【発明の効果】
【０００７】
本発明によれば、内部に送風手段とフィルターユニットとを有する本体ケースと、前記本体ケースの下方にルーバーと、を備える脱臭装置において、前記フィルターユニットが前記ルーバーに押圧されることで前記本体ケースに勘合され、前記本体ケースの所定位置に勘合された前記フィルターユニットが前記ルーバーに接触しない脱臭装置とした。これにより、ルーバーを押圧して本体ケースに固定する操作がフィルターユニットを押圧する操作を兼ねており、ルーバーとともに押圧されたフィルターユニットが本体内の所定位置に移動して勘合固定されるので、容易に脱着可能でありながら落下を抑制する方法で固定できるという効果を得ることができる。
【図面の簡単な説明】
【０００８】
【図１】本発明の実施の形態１の脱臭装置の設置状態を示す概略図
【図２】本発明の実施の形態１の脱臭装置の内部構造を示す概略断面図
【図３】本発明の実施の形態１のフィルターユニットの勘合状態を示す概略断面図
【図４】本発明の実施の形態１の脱臭装置の下面を示す概略図
【図５】本発明の実施の形態１の脱臭装置のフィルターユニットを示す部品組図
【図６】本発明の実施の形態１の脱臭装置の吸着フィルターの基材を示す斜視図
【図７】本発明の実施の形態１の脱臭装置のフィルターユニットの配置を示す概略図
【図８】本発明の実施の形態１の脱臭装置のフィルターユニットの非勘合状態を示す概略断面図
【図９】本発明の実施の形態１の脱臭装置のフィルターユニットの非勘合状態を示す要部拡大図
【図１０】本発明の実施の形態１の脱臭装置のフィルターユニットの勘合状態を示す要部拡大図
【図１１】本発明の実施の形態１の脱臭装置のフィルターユニットの勘合状態を示す概略断面図
【図１２】本発明の実施の形態１の脱臭装置の突起部とルーバーの一部を示す概略断面図
【発明を実施するための形態】
【０００９】
本発明の請求項１記載の脱臭装置は、内部に送風手段とフィルターユニットとを有する本体ケースと、前記本体ケース下部にルーバーと、を備える脱臭装置において、前記フィルターユニットが前記ルーバーに押圧されることで前記本体ケースに勘合される脱臭装置という構成を有する。これにより、ルーバーを押圧して本体ケースに固定する操作がフィルターユニットを押圧する操作を兼ねており、ルーバーとともに押圧されたフィルターユニットが本体内の所定位置に移動して勘合固定されるので、フィルターユニットを容易に脱着可能でありながらフィルターユニットの落下を抑制する方法で固定できるという効果を奏する。
【００１０】
また、前記フィルターユニットのルーバー側に突起部を設け、前記突起部が前記ルーバーに押圧されるという構成にしてもよい。これにより、ルーバーにより押圧されるフィルターユニットの部位を局所に限定することができるので、ルーバーを押圧する部位に影響されず、フィルターユニットを本体内の所定位置に移動して勘合固定することができるという効果を奏する。
【００１１】
また、前記フィルターユニットと前記ルーバーとの間に補助フィルターを設け、前記突起部で前記補助フィルターの一部を保持するという構成にしてもよい。本体ケースの内部の適切な位置に補助フィルターを固定しつつ、フィルターユニットを本体内の所定位置に移動して勘合固定することができるという効果を奏する。
【００１２】
また、前記本体ケースの所定位置に勘合された前記フィルターユニットが前記ルーバーに接触しない構成にしてもよい。これにより、動作中に発生する可能性のある本体ケースの振動が、フィルターユニットを介してルーバーに伝達されることを抑制するので、ルーバーの振動を抑制しつつ、フィルターユニットを本体内の所定位置に移動して勘合固定することができるという効果を奏する。
【００１３】
以下、本発明の実施の形態について図面を参照しながら説明する。
【００１４】
（実施の形態１）
図１に示すように、脱臭装置１は室内上部に設置され、本体ケース１ａの下部にルーバー２を備えている。ルーバー２は吸込口３と吹出口４を有しており、後述するように脱臭装置１の内部で生成されるイオン５が室内に供給される。
【００１５】
室内へ供給されたイオン５は、室内空気を浄化するとともに、図示しない対象物（例えば、臭いが付着した布など）に対し接触することで、対象物に対し効能（例えば、臭いが付着した布の脱臭など）を得ることができる。
【００１６】
図２に脱臭装置１の内部構造をルーバー２を下に向けた時の状態として示す。脱臭装置１は本体ケース１ａの内部でルーバー２の上部にフィルターユニット６を備えている。フィルターユニット６はケース７とふた８で形成される収納空間の内部に吸着フィルター９を収納している。吸着フィルター９は後述するように、吸着材が担持されたフィルターであり、被処理空気中に含まれる臭気成分等を吸着除去するものである。
【００１７】
本体ケース１ａの内部でフィルターユニット６の上部に、モーター１２とファン１３からなる送風手段１４を備えている。破線矢印は被処理空気の流れを示しており、送風手段１４の作用により吸込口３から本体ケース内に吸引された被処理空気は、吸込経路として補助フィルター１０とフィルターユニット６を通過した後、吹出経路として再び補助フィルター１０を通過して吹出口４から室内に供給される。補助フィルター１０は集塵フィルターであり、被処理空気中に含まれる塵埃等を集塵除去するものである。
【００１８】
脱臭装置１の内部には静電霧化手段１１を備えている。静電霧化手段１１は図示しない放電電極と、この放電電極に対向して配置された図示しない対向電極と、放電電極と対向電極との間に高電圧を印加する図示しない高圧印加部と、放電電極を冷却する図示しない冷却部を備えており、放電電極を冷却部によって冷却することにより、放電電極の先端に空気中の水分を結露させ、その結露させた水に高電圧を印加しマイナスの電荷を集中させることにより、マイナスに帯電した帯電微粒子水を生成し霧化するものであり、本実施の形態で示すイオン５に相当する除菌効果や脱臭効果を有する帯電微粒子水を得る手段である。脱臭装置１内部の静電霧化手段１１で生成されたイオン５は吹出口４から室内に供給される。
【００１９】
電装基板１５は図示しない室内電気配線から商用電源の供給を受けて静電霧化手段１１およびモーター１２への電力供給と運転動作の制御を行う。
【００２０】
図３にフィルターユニット６と本体ケース１ａとの勘合状態を示す。フィルターユニット６はケース７のルーバー２に近い側に突起７ａを有している。また、ケース７の側面部に設けられたつめ７ｂが、本体ケース１ａの内郭に設けられた仕切部１７に開口されたスリット１６に勘合されることでフィルターユニット６を固定している。
【００２１】
図４に脱臭装置１の下面図を示す。ルーバー２は吸込口３と吹出口４を有しており、吸込口３と吹出口４の開口部分から集塵作用を有する補助フィルター１０を確認することができる。
【００２２】
図５にフィルターユニット６の部品組図を示す。基材９ａをネット９ｂで包んだ吸着フィルター９は多数の開口部を有する枠体状のケース７に収納され、同様に多数の開口部を有する枠体状のふた８で固定されている。すなわち、被処理空気はケース７を通過し、ネット９ｂを通過して基材９ａに接触し、さらにふた８を通過することができる。
【００２３】
図６に吸着フィルター９の基材９ａに吸着材９ｃが担持された構造を示す。吸着材９ｃは活性炭やゼオライト等の高い吸着作用を示す粒状材料であり、接着剤や樹脂により基材９ａに接着固定されている。基材９ａが網状の部材であることと吸着材９ｃが互いに間隔を有した状態で担持固定されていることから、被処理空気の流通を妨げるものではない。
【００２４】
図７に脱臭装置１内部におけるフィルターユニット６の配置を示す。図３で説明したように、フィルターユニット６は本体ケース１ａの内郭に設けられた仕切部１７に開口されたスリット１６に、つめ７ｂが勘合することでフィルターユニット６を固定することができる。
【００２５】
つめ７ｂはフィルターユニット６の側面部に複数設けられ、それぞれがスリット１６に勘合するので、フィルターユニット６を所定の位置に設置することができ、本体ケース１ａからの脱落等を抑制することができる。フィルターユニット６は仕切部１７の内周面に近似した円柱構造に類似しているが、本体ケース１ａにおいて仕切部１７の内側に存在する機能部材との干渉を回避するための凹部７ｃを有している。
【００２６】
フィルターユニット６の上面（送風手段側）よりも下面（ルーバー側）の面積が狭いので、フィルターユニット６の側面表面が下面方向に傾斜している。その形状により、脱臭装置１のルーバー２に設けられた吸込口３から流入する被処理空気がフィルターユニット６の側面を通過する際の流通方向の変化角度を鈍角としているので、被処理空気の流通抵抗を低減することができる。
【００２７】
また、フィルターユニット６の上面（送風手段側）よりも下面（ルーバー側）の面積を狭くすることで、フィルターユニット６の側面表面が下面方向に傾斜しているので、フィルターユニット６を本体ケース１ａに装着する場合に作業者がフィルターユニット６の側面をつかみやすくなり作業性が向上する。
【００２８】
ルーバー２は図示しないラッチ構造を有するクリップにより、本体ケース１ａに押圧固定されるものであり、ルーバー２を本体ケース１ａの所定の位置に仮置きした後に、ルーバー２を本体ケース１ａの方向に押圧することで、図示しないクリップのラッチ構造が締結し、ルーバー２を本体ケース１ａに固定することができる。ルーバー２を本体ケース１ａから取り外す際には、装着時と同様に本体ケース１ａ側に押圧することで図示しないクリップのラッチ構造が解除され、ルーバー２をはずすことができる。
【００２９】
補助フィルター１０は平面状の繊維で構成された微細な空孔を有する集塵フィルターであり、被処理空気中に含まれる塵埃等を物理ろ過の作用により集塵除去するものである。
【００３０】
図８にフィルターユニット６が本体ケース１ａの内部において非勘合状態で保持され、ルーバー２と突起７ａの一部が接触している様子を示す。フィルターユニット６は前述したように側面部に複数のつめ７ｂを設けており、複数のつめ７ｂを含む実質的なフィルターユニット６の最大外径寸法は仕切部１７の実質的な内径寸法よりも大きい。また、つめ７ｂはフィルターユニット６の側面部においてフィルターユニット６との接続部分が弾性変形可能な状態で設けられているので、つめ７ｂの根元部分をフィルターユニット６の内側方向に縮小変形させることで、本体ケース１ａの内部において非勘合状態で保持することも可能である。したがって、図８において、つめ７ｂは仕切部１７のスリット１６と勘合していないが、つめ７ｂと仕切部１７の表面の摩擦抵抗と、つめ７ｂの根元部分の弾性変形の復元力に起因する仕切部１７の表面方向への反力によりフィルターユニット６を保持されている。
【００３１】
図８に示す状態では、フィルターユニット６と仕切部１７の間に隙間があることから、この状態で脱臭装置１を運転動作させると、脱臭装置１に吸引された被処理空気がフィルターユニット６を通過せず、フィルターユニット６と仕切部１７の間の隙間をバイパスしてしまい、本来の空気浄化性能を発揮することができなくなる可能性がある。
【００３２】
フィルターユニット６が非勘合状態であり本体ケース１ａ内の所定位置に固定されていないことから、この状態でルーバー２を押圧固定しようとすると、ルーバー２とフィルターユニット６の突起７ａが接触する。図８はルーバー２が図示しない作業者により矢印方向に押圧されて、ルーバー２がフィルターユニット６を矢印方向に押圧している状態を示している。
【００３３】
補助フィルター１０はその一部が仕切部１７と隔壁２ａに挟まれてルーバー２と本体ケース１ａの間に保持されている。
【００３４】
図９にフィルターユニット６が非勘合状態から勘合状態に移動する状態のつめ７ｂ周辺の拡大図を示す。ルーバー２を本体ケース１ａの方向に押圧することによりフィルターユニット６の突起７ａが押圧され、フィルターユニット６が仕切部１７の内側を上方に移動する。つめ７ｂが仕切部１７の内周面に沿って上方に移動し、スリット１６に近接した状態を示している。つめ７ｂの断面構造はスリット１６に遠い部分よりもスリット１６に近い先端部分が細く、スリット１６の断面構造はつめ７ｂに遠い部分よりもつめ７ｂに近い入口部分が広くなっている。このような構造であることから、つめ７ｂの先端の一部がスリット１６の下方から勘合され始めると、つめ７ｂがスリット１６の内部をせりあがるように上方に移動する。その結果、つめ７ｂに牽引されてフィルターユニット６も上方に移動する。したがって、図９で示すように、つめ７ｂの一部がスリット１６に勘合され始める位置までフィルターユニット６を配置すれば、つめ７ｂが上方に移動する作用によりフィルターユニット６を所定位置に移動し、固定させることができる。
【００３５】
図１０にフィルターユニット６が勘合状態となり所定位置に固定された状態を示す。つめ７ｂがスリット１６に勘合されており、図９の状態に比べてフィルターユニット６が上方に移動していることがわかる。フィルターユニット６のつめ７ｂがスリット１６に勘合されるとルーバー２は突起７ａに接触しない。
【００３６】
図１１にフィルターユニット６が勘合状態となり所定位置に固定された状態を示す。フィルターユニット６のふた８が送風手段１４の吸込み部分に相当するオリフィス１８に近接している。先に図５で説明したように、フィルターユニット６は開口部を多数有する枠体状のケース７およびふた８で吸着フィルター９を内包して保持しているので、送風手段１４の作用により本体ケース１ａ内に吸引された被処理空気は、フィルターユニット６の突起７ａを有する面および、つめ７ｂを延設している側面からフィルターユニット６内に吸引され、ふた８を通過して、オリフィス１８に吸引されることとなる。
【００３７】
複数の突起７ａのうち仕切部１７に近い側の突起７ａが補助フィルター１０の一部を貫通して固定している。その結果、補助フィルター１０はルーバー２とフィルターユニット６の間の所定位置に固定される。先に図７で示したように、補助フィルターは平面状の繊維で構成された微細な空孔を有する集塵フィルターであることから、ルーバー２が本体ケース１ａに押圧固定される際に、ルーバー２とフィルターユニット６との間で厚さ方向に圧縮される。突起７ａが補助フィルター１０の一部を貫通して固定していることにより、補助フィルター１０が平面方向に移動することや回転移動することを抑制することができる。
【００３８】
また、先に図７で示したように、補助フィルター１０は１枚の平面状の繊維であるとしたが、図８および図１１に示すようにその一部を仕切部１７と隔壁２ａに挟まれている。その結果、１枚の連続した平面状の繊維でありながら、吸込口３の吸込経路を覆う補助フィルター１０は、フィルターユニット６のプレフィルターとして機能し、吹出口４の吹出経路を覆う補助フィルター１０は、ポストフィルターとして別々に機能することができる。ポストフィルターの機能としては、本体ケース１ａ内に何らかの理由で蓄積した塵埃等が脱臭装置１の運転動作により室内に再飛散することを抑制する効果を期待できる。
【００３９】
なお、吸込口３の吸込経路を覆う補助フィルター１０に捕集された塵埃が補助フィルター１０内を移動したとしても、仕切部１７と隔壁２ａに挟まれている部位では補助フィルター１０を構成する繊維が圧縮されて微細な空孔は縮小しているので、塵埃が空孔内を通過して吹出口４の吹出経路を覆う補助フィルター１０へ移動することは抑制されている。
【００４０】
脱臭装置１の運転時間の経過にともない、フィルターユニット６のメンテナンスが必要な場合は、本体ケース１ａからルーバー２を脱着した後に、つめ７ｂの根元部分をフィルターユニット６の中央方向に押して変形させることで、つめ７ｂとスリット１６の勘合が解除されるので、フィルターユニット６を本体ケース１ａから容易に脱着することができる。
【００４１】
図１２にフィルターユニット６がスリット１６と勘合状態となり所定位置に固定された状態を示す。先に図１１で説明したように、フィルターユニット６は送風手段１４の吸込み部分に相当するオリフィス１８に近接して設置されていることから、脱臭装置１の運転時には送風手段１４で発生する振動がフィルターユニット６に伝達される可能性がある。図１２で示すように、フィルターユニット６が勘合状態となり所定位置に固定された状態では、複数の突起７ａがルーバー２に接触していないので、送風手段１４で発生する振動がルーバー２へ伝達することを抑制することができる。
【００４２】
このような構成によれば、室内の天井や壁面上部等の比較的高所に設置された脱臭装置１の本体ケース１ａ内にフィルターユニット６を装着する場合、フィルターユニット６がつめ７ｂの弾性変形により仕切部１７の内周部において不十分な勘合状態で固定されたとしても、ルーバー２を押圧固定する動作によって、フィルターユニット６が所定の位置に移動して勘合固定される。
【００４３】
また、ルーバー２は押圧動作中のみフィルターユニット６の突起７ａに接触しており、フィルターユニット６がスリット１６に勘合されると、ルーバー２と突起７ａは接触しないため、脱臭装置１の運転時に送風手段１４からの振動が平面状のルーバー２に伝達して騒音を発生する可能性を抑制することができる。なお、ルーバー２は脱臭装置１の化粧パネルの機能を有していることから、脱臭装置１の運転時には必ず装着されるものである。したがって、ルーバー２を押圧固定する動作は脱臭装置１の運転前には必ず実施される動作であり、フィルターユニット６を所定の位置に確実に固定することが期待できるものである。
【００４４】
本実施の形態では、フィルターユニット６が脱臭機能を有し、補助フィルター１０が集塵機能を有するとしたが、この構成に限ったものではなく、フィルターユニット６自体で集塵機能を有してもよく、また補助フィルター１０が脱臭機能を有してもよい。フィルターユニット６および補助フィルター１０の機能によらず、ルーバー２がフィルターユニット６を押圧することでフィルターユニット６が移動する勘合固定方法であれば同様の効果を得ることができる。
【００４５】
本実施の形態では不十分な勘合状態で固定されたフィルターユニット６がルーバー２に押圧されて本体ケース１ａ内の所定の位置に固定されるとしたが、作業者によりフィルターユニット６のみを本体ケース１ａの方向に押圧することで所定の位置に固定してもよい。その場合においてルーバー２を固定しても、フィルターユニット６の突起７ａはルーバー２に接触することはなく、脱臭装置１の運転時に送風手段１４からの振動が平面状のルーバー２に伝達して騒音を発生する可能性を抑制することができる。
【００４６】
本実施の形態では脱臭装置１は室内天井に設置されており、フィルターユニット６やルーバー２の装着を室内下方から作業するとしたが、この設置方法に限ったものではなく、脱臭装置１を室内壁面に設置し、フィルターユニット６やルーバー２の装着を室内から壁面方向に向かって作業してもよく、同様にルーバー２を押圧することでフィルターユニット６を所定位置に移動して勘合固定することで、脱臭装置１の本来の浄化性能を得ることができる。なお、脱臭装置１は、天井や天井近傍壁面等の室内上部に設置することが好ましいが、これに限定するものではなく、室内下部の壁面に設置してもよい。
【００４７】
本実施の形態では、ルーバー２はラッチ構造を有するクリップにより本体ケース１ａに固定されるとしたが、この方法に限ったものではなく、中央部に巻回部を有するばね部材をルーバー２に設け、端部をつまむことで巻回部を圧縮変形させた状態のばね部材を、本体ケース１ａに開口させた取付け穴に挿入し、ばね部材の巻回部の復元作用によりルーバー２を本体ケース１ａに押圧固定する方法を用いてもよい。ルーバー２が本体ケース１ａに押圧される方向の力がフィルターユニット６に伝達され、フィルターユニット６を押圧して所定位置に勘合固定される構造であれば同様の効果を得ることができる。
【産業上の利用可能性】
【００４８】
本発明に係る脱臭装置は、空気清浄ユニットであるフィルターユニットを容易に脱着可能でありながら落下を抑制する方法で固定できるので、室内空気の脱臭、除菌などに広く使用される脱臭装置等として有用である。
【符号の説明】
【００４９】
１    脱臭装置
１ａ    本体ケース
２    ルーバー
２ａ    隔壁
３    吸込口
４    吹出口
５    イオン
６    フィルターユニット
７    ケース
７ａ    突起
７ｂ    つめ
７ｃ    凹部
８    ふた
９    吸着フィルター
９ａ    基材
９ｂ    ネット
９ｃ    吸着材
１０    補助フィルター
１１    静電霧化手段
１２    モーター
１３    ファン
１４    送風手段
１５    電装基板
１６    スリット
１７    仕切部
１８    オリフィス
【図１】
0006653417.tif 000002
【図２】
0006653417.tif 000003
【図３】
0006653417.tif 000004
【図４】
0006653417.tif 000005
【図５】
0006653417.tif 000006
【図６】
0006653417.tif 000007
【図７】
0006653417.tif 000008
【図８】
0006653417.tif 000009
【図９】
0006653417.tif 000010
【図１０】
0006653417.tif 000011
【図１１】
0006653417.tif 000012
【図１２】
0006653417.tif 000013